(57)【特許請求の範囲】
【請求項１】
ベッドフレームの側部に設けられるベッド用側柵装置において、
上記ベッドフレームに取り付けられる固定軸と、
この固定軸に回転自在かつ軸方向にスライド自在に装着された可動筒体と、
この可動筒体に取り付けられ上記固定軸を中心にして上記可動筒体とともに回転可能な可動柵部材と、
上記可動柵部材を上記ベッドフレームの側部に対してほぼ平行な状態と所定の角度で回転させた状態とで回転不能に保持する保持手段とを具備し、
上記保持手段は、上記固定軸の上記可動筒体の内部に位置する部分に周方向に所定間隔で形成された複数の係合部と、上記可動筒体に設けられ上記係合部と係合して上記可動筒体を回転不能に保持するとともにこの可動筒体を上記固定軸に沿って上方へスライドさせることで上記係合部との係合が外れて上記可動筒体を回転可能にする係合部材とによって構成されていることを特徴とするベッド゛用側柵装置。
【請求項２】
マットレスが載置されるベッドフレームの側部に側柵が設けられるベッド装置において、
上記マットレスの側部に幅方向内方に凹みかつ長手方向に所定の長さで形成された凹部と、
上記ベッドフレームの上記マットレスの凹部の長手方向一端部に対応する部分に取り付けられる固定軸と、
この固定軸に回転自在かつ軸方向にスライド自在に装着された可動筒体と、
この可動筒体に取り付けられ上記固定軸を中心にして上記可動筒体とともに回転可能かつ上記凹部に沿うよう上記ベッドフレームの幅方向内方に向って屈曲された可動柵部材と、
上記可動柵部材を上記ベッドフレームの側部に対してほぼ平行な状態と所定の角度で回転させた状態とで回転不能に保持する保持手段とを具備し、
上記保持手段は、上記固定軸の上記可動筒体の内部に位置する部分に周方向に所定間隔で形成された複数の係合部と、上記可動筒体に設けられ上記係合部と係合して上記可動筒体を回転不能に保持するとともにこの可動筒体を上記固定軸に沿って上方へスライドさせることで上記係合部との係合が外れて上記可動筒体を回転可能にする係合部材とによって構成されていることを特徴とするベッド装置。
【発明の詳細な説明】
【０００１】
【発明の属する技術分野】
この発明はベッドフレームの側部に設けられるベッド用側柵装置およびベッド装置に関する。
【０００２】
【従来の技術】
ベッド装置には、マットレス上に仰臥した利用者が落下したり、布団がずれ落ちるのを防止するためなどに、ベッドフレームの側部に側柵を設けるようにしている。上記側柵には、ベッドフレームに固定的に設けられる固定柵部材と、利用者（患者）がマットレスに乗り降りしたり、診察を受ける際に便利なようにベッドフレームの側部を閉塞した状態から開放する位置へ回転させることができるようにした可動柵部材とがあり、通常はこれら両方の柵部材がベッドフレームの側部に設けられている。
【０００３】
足腰などが不自由であったり、弱っている利用者の場合、マットレス上から降りる際には、まず、上記可動柵部材を回転させてベッドフレームの側方を開放する。ついで、利用者はマットレスの幅方向一端部に腰を掛けて脚を降し、上記可動柵部材に掴まって立ち上がることになる。つまり、可動柵部材を立ち上がる際に利用するということが行われる。
【０００４】
従来、上記可動柵部材は回転自在に設けられ、ベッドフレームの側部を閉塞した状態ではフックなどによって回転不能に保持されるようになっているものの、上記フックを外して回転させた開放状態では、自由に回転できるようになっている。
【０００５】
そのため、利用者がマットレスに腰を掛けた状態から立ち上がるときに、上記可動柵部材に掴まると、この可動柵部材が回転するから、利用者は安定した状態で立ち上がることができないことがある。
【０００６】
【発明が解決しようとする課題】
このように、従来、利用者が可動柵部材を開放してマットレスから降りて立ち上がるときに可動柵部材に掴まるということがあるが、従来の可動柵部材は開放した状態では回転自在であるため、立ち上がる際に掴まると回転し、安定した状態で立ち上がることができないということがあった。
【０００７】
この発明は、利用者が立ち上がるときにベッドフレームの側部を開放した状態にある可動柵部材に掴まっても、その可動柵部材が回転しないようにしたベッド用側柵装置及びベッド装置を提供することにある。
【０００８】
【課題を解決するための手段】
請求項１の発明は、ベッドフレームの側部に設けられるベッド用側柵装置において、
上記ベッドフレームに取り付けられる固定軸と、
この固定軸に回転自在かつ軸方向にスライド自在に装着された可動筒体と、
この可動筒体に取り付けられ上記固定軸を中心にして上記可動筒体とともに回転可能な可動柵部材と、
上記可動柵部材を上記ベッドフレームの側部に対してほぼ平行な状態と所定の角度で回転させた状態とで回転不能に保持する保持手段とを具備し、
上記保持手段は、上記固定軸の上記可動筒体の内部に位置する部分に周方向に所定間隔で形成された複数の係合部と、上記可動筒体に設けられ上記係合部と係合して上記可動筒体を回転不能に保持するとともにこの可動筒体を上記固定軸に沿って上方へスライドさせることで上記係合部との係合が外れて上記可動筒体を回転可能にする係合部材とによって構成されていることを特徴とするベッド゛用側柵装置にある。
【００１０】
請求項２の発明は、マットレスが載置されるベッドフレームの側部に側柵が設けられるベッド装置において、
上記マットレスの側部に幅方向内方に凹みかつ長手方向に所定の長さで形成された凹部と、
上記ベッドフレームの上記マットレスの凹部の長手方向一端部に対応する部分に取り付けられる固定軸と、
この固定軸に回転自在かつ軸方向にスライド自在に装着された可動筒体と、
この可動筒体に取り付けられ上記固定軸を中心にして上記可動筒体とともに回転可能かつ上記凹部に沿うよう上記ベッドフレームの幅方向内方に向って屈曲された可動柵部材と、
上記可動柵部材を上記ベッドフレームの側部に対してほぼ平行な状態と所定の角度で回転させた状態とで回転不能に保持する保持手段とを具備し、
上記保持手段は、上記固定軸の上記可動筒体の内部に位置する部分に周方向に所定間隔で形成された複数の係合部と、上記可動筒体に設けられ上記係合部と係合して上記可動筒体を回転不能に保持するとともにこの可動筒体を上記固定軸に沿って上方へスライドさせることで上記係合部との係合が外れて上記可動筒体を回転可能にする係合部材とによって構成されていることを特徴とするベッド装置にある。
【００１１】
請求項１の発明によれば、可動柵部材はベッドフレームの側部にほぼ平行な状態と所定の角度で回転させた状態とで回転不能に保持されるから、利用者がマットレスの端部に腰を掛けた状態から立ちあがるときに所定の角度で回転した可動柵部材に掴まっても、この可動柵部材が回転することがない。
【００１２】
また、可動柵部材を回転自在に取り付ける固定軸を利用してこの可動柵部材を所定の状態で回転不能に保持できる保持手段を構成したから、簡単な構成とすることができ、さらにはその操作も容易な構成とすることができる。
【００１３】
請求項２の発明によれば、マットレスの側部に幅方向内方へ凹んだ凹部を形成した場合に、この凹部に対応するベッドフレームの側部を開閉できる可動柵部材を所定の回転角度で回転不能に保持できるようにしたことで、利用者が上記凹部を利用して立ち上がるときに、可動柵部材を利用して確実に立ち上がることができる。
【００１４】
【発明の実施の形態】
以下、この発明の一実施の形態を図面を参照して説明する。
【００１５】
図５に示すベッド装置はベースフレーム１を備えている。このベースフレーム１は矩形枠状に形成され、その四隅部にはストッパ付きのキャスタ２が設けられている。それによって、ベースフレーム１は移動自在な構成となっている。
【００１６】
上記ベースフレーム１にはアーム３を介して矩形枠状に形成されたベッドフレーム４が上下動可能に設けられている。このベッドフレーム４は上下駆動機構５によって上下方向に駆動され、所定の高さ位置で保持されるようになっている。上記ベッドフレーム４は所定の間隔で平行に離間した一対の縦杆４ａの長手方向一端にヘッドボード６を立設し、他端にフットボード７を立設してなる。
【００１７】
上記ベッドフレーム４の上面には床板９が設けられ、この床板９上にはマットレス１０が細緻されている。
【００１８】
上記床板９とマットレス１０の幅方向両側の中途部には、幅方向内方に凹んだ平面形状がほぼ台形状の第１の凹部９ａ，１０ａが形成されている。
【００１９】
なお、ベッドフレーム４の一対の縦杆４ａは上記マットレス１０の凹部１０ａに露出しないよう、間隔が設定されている。
【００２０】
上記ベッドフレーム４の長手方向一端側の幅方向両側にはそれぞれ一対のブラケット１２が長手方向に所定間隔で設けられている。ベッドフレーム４の両側あるいは一側（この実施の形態では一側）には上記一対のブラケット１２を利用して側柵装置１３が着脱可能に取り付けられている。
【００２１】
上記側柵装置１３は、図３に示すように固定柵１４と、この固定柵１４の幅方向一端に取り付けられた可動柵１５とからなる。上記固定柵１４は横部材１６の上側に固定柵部材１７が設けられ、下側に一対の脚部材１８が設けられている。そして、上記脚部材１８を上記ブラケット１２の保持孔１２ａに挿入し、一方あるいは両方の脚部材１２ａに固定ノブ１９を螺合することで、上記ベッドフレーム４に着脱可能に取り付けられている。
【００２２】
上記可動柵１５は上記固定柵１４の横部材１６の長手方向一端に下端部が固着されて垂設された固定軸２１を有する。この固定軸２１は大径軸部２２ａと、この大径軸部２２ａの上端側に形成された小径軸部２２ｂとからなり、この小径軸部２２ｂの上端部はねじ部２２ｃに形成されている。
【００２３】
上記小径軸部２２ｂの上端部には、上記大径軸部２２ａと同径に形成され内部部にナット２３が埋設されたストッパ軸２４がそのナット２３を上記ねじ部２２ｃに螺合させて取り付けられている。
【００２４】
図２に示すように、上記大径軸部２２ａの上端と上記ストッパ軸２４の下端との間には空間部２５が形成され、この空間部２５には保持部材２６が上記小径軸部２２ｂの下端部に外嵌され、ピン２６ａによって固定されている。この保持部材２６の上端側には、その上端面に開放した係合部としての第１乃至第４の４つの係合溝２７ａ〜２７ｄが周方向に９０度間隔で形成されている。
【００２５】
上記固定軸２１には可動筒体２８が回転自在かつ上下動可能に外嵌されている。
この可動筒体２８の周壁には、係合部材としての係合軸２９が先端部を上記空間部２５内に突出させて設けられている。この係合軸２９は、上記可動筒体２８が固定軸２１に沿って下降方向へスライドすることで、上記保持部材２６の４つの係合溝２７ａ〜２７ｄのいずれかに係合する。それによって、上記可動筒体２８は上記固定軸２１に回転不能に保持されるようになっている。
【００２６】
なお、上記固定軸２１の上部には可動筒体２８を円滑に回転させるためのブッシュ２１ａが設けられている。
【００２７】
上記可動筒体２８には側面形状がほぼコ字状で、平面形状が上記ベッドフレーム４の第１の凹部８の平面形状に対応するようほぼへの字状に屈曲された可動柵部材３０が固着されている。
【００２８】
上記係合軸２９を上記保持部材２６の第１の係合溝２７ａに係合させた状態では、上記可動柵１５の可動柵部材３０は図６に実線で示すようにベッドフレーム４の第１の凹部８上にベッドフレーム４の側部とほぼ平行な状態で位置し、このベッドフレーム４の側部を上記固定柵１４とで閉塞する閉塞状態にある。
【００２９】
可動柵１５の可動筒体２８を可動柵部材３０とともに上昇させて図６に鎖線で示すようにほぼ９０度回転させ、上記可動柵部材３０によって閉塞されたベッドフレーム４の側部を半開状態で開放すれば、係合軸２９が第２の係合溝２７ｂに係合して上記可動側柵１５が回転不能に保持される。
【００３０】
同様に、同図に同じく実線で示すように上記可動柵部材３０を１８０度回転させてベッドフレーム４の側部を全開状態にすれば、係合軸２９が第３の係合溝２７ｂに係合して上記可動柵部材３０が回転不能に保持される。
【００３１】
なお、上記床板９は回動自在に分割された複数の床部からなり、ベッドフレーム４の下面側には利用者の背部に対応する部分の床部を起伏駆動するための駆動装置３１が設けられている。
【００３２】
このような構成のベッド装置によれば、利用者がマットレス１０上で仰臥するときには可動柵１５の可動柵部材３０の回転角度を０度にし、ベッドフレーム１の側部を固定柵１４の固定柵部材１７とで閉塞する。この状態では、図４（ａ）に示すように係合軸２９が保持部材２６の第１の係合溝２７ａに係合して可動柵部材３０は回転不能に保持される。そのため、マットレス１０上で仰臥した利用者や利用者が掛けた布団などが落下するのが防止される。
【００３３】
利用者がマットレス１０上から降りて立ち上がる場合には、まず、可動柵１５の可動柵部材３０を上昇させて係合軸２９を第１の係合溝２７ａから外し、この可動柵部材３０を固定軸２１に沿ってほぼ９０度回転させることで、上記係合軸２９を図４（ｂ）に示すように第２の係合溝２７ａに係合させる。それによって、可動柵１５はその可動柵部材３０がベッドフレーム４の側辺に対してほぼ直角に回動した半開状態となってベッドフレーム４の側部を開放する。この操作は通常、介護者が行うことが多い。
【００３４】
ついで、利用者はマットレス１０の凹部１０ａが形成された部分に移動し、その部分に腰掛けて脚部を上記凹部１０ａの箇所から床面へ降す。そして、上記可動柵１５の可動柵部材３０に掴まることで比較的楽に立ち上がることができ、しかも足腰が立姿勢になれるまで上記柵部材２９に掴まっていることで、よろけるのを防止することができる。
【００３５】
上記可動柵１５の可動柵部材３０が９０度回転した半開状態では回転不能に保持されている。そのため、利用者が立ち上がる際に掴まっても、回転するようなことがないから、利用者が立ち上がるのを確実に補助することができる。
【００３６】
また、利用者がマットレス１０の凹部１０ａの箇所で脚部を降ろして立ち上がるようにすることで、立ち上がるときに利用者の脚部の臀部に近い部分、つまり太腿の裏側の部分が上記凹部１０ａの内面や第１、第２の凹部８，９ａの内面に支持されるから、利用者の身体が横方向や後方向に振れるのが阻止される。
【００３７】
そのため、利用者が立ち上がる際、上記凹部１０ａの内面によって大腿部が支持されることによっても、脚部のふらつきが防止されるため、上記可動柵部材３０に掴まることと相俟って比較的安定した状態で容易に立ち上がることが可能となる。
【００３８】
マットレス１０上の利用者をたとえば車椅子に移し変えるような場合には、上記可動柵１５の可動柵部材３０を１８０度回転させて係合軸２９を図４（ｃ）に示すように第３の係合溝２７ｃに係合させ、全開状態で上記可動柵部材３０を回転不能に保持する。それによって、利用者をマットレス１０から車椅子へ移す場合に可動柵部材３０が邪魔になることなく行える。
【００３９】
また、ベッドフレーム４の両側にそれぞれ一対のブラケット１２を設けたことで、側柵装置１３をベッドフレーム４の一方の側部から他方の側部に移し替えることができる。その際、可動柵１５の可動柵部材３０はへの字状に屈曲されているから、固定軸２１に対して上下逆向きに付け替えることで、対応することができる。
【００４０】
なお、側柵装置１３はベッドフレームの一側だけでなく両側に設けるようにしてもよいこと勿論である。また、固定柵１４と可動柵１５とで側柵装置１３を構成したが、固定柵１４はなくて可動柵１５だけであってもよい。その場合、可動柵１５の固定軸２１をベッドフレーム４に直接あるいはブラケットを介して立設するようにすればよい。
【００４１】
さらに、床板９およびマットレス１０の側部に凹部を形成したが、凹部がないベッド装置であっても、この発明の側柵装置１３を用いることができる。その場合、可動柵１５の可動柵部材３０の平面形状は直線状であればよいことになる。
【００４２】
【発明の効果】
請求項１の発明によれば、可動柵の可動柵部材を、ベッドフレームの側方を閉塞した状態と開放した状態との回転状態で回転不能に保持できるようにした。
【００４３】
そのため、利用者がマットレスの端部に腰を掛けた状態から立ちあがるときに所定の角度に回転させた可動柵部材に掴まっても、この可動柵部材が回転することがないから、利用者は安定した状態で確実に立ち上がることができる。
【００４４】
また、可動柵の筒体と、この筒体が回転自在に設けられる固定軸を利用して可動柵部材を所定の回転角度で回転不能に保持できる保持手段を構成した。
【００４５】
そのため、上記保持手段を簡単な構成とすることができる。しかも、筒体を固定軸に沿って上昇させることで、可動柵部材の工程状態を解除して回転させることができるから、その操作性も良好である。
【００４６】
請求項２の発明によれば、ベッドフレームの側部に幅方向内方へ凹んだ凹部が形成されている場合に、この凹部に対応する箇所を開閉できる可動柵部材を所定の回転角度で回転不能に保持できるようにした。
【００４７】
そのため、利用者が上記凹部を利用して立ち上がるときに、可動側柵を利用して確実に立ち上がることができるばかりか、凹部によって脚部が支持されるから、そのことによっても利用者は容易に立ち上がることが可能になる。
【図面の簡単な説明】
【図１】この発明の一実施の形態を示す可動柵の固定軸の部分の分解斜視図。
【図２】同じく固定軸の部分の縦断面図。
【図３】同じく側柵装置の正面図。
【図４】同じく可動側柵部材を回転させたときの保持状態を示す説明図。
【図５】同じくベッド装置の側面図。
【図６】同じく平面図。
【符号の説明】
４…ベッドフレーム
８…凹部
２１…固定軸
２６…保持部材（保持手段）
２７ａ〜２７ｄ…係合溝（保持手段）
２８…可動筒体
２９…係合軸（保持手段）
３０…可動柵部材
【図１】
0003554493.tif 000002
【図２】
0003554493.tif 000003
【図３】
0003554493.tif 000004
【図４】
0003554493.tif 000005
【図５】
0003554493.tif 000006
【図６】
0003554493.tif 000007